(57)【要約】【課題】配光角を狭めるのに有利な照明器具を提供する。【解決手段】照明器具１００は、光源１２が長手方向に配列されている基板１０と、基板１０を接触保持し、基板１０の少なくとも光源１２が配列されている側の基板面１０ａを覆うカバー１８と、基板面１０ａの上に設けられ、光源１２から照射された光を反射する反射部１６とを備える。反射部１６は、光源１２の配列方向に沿って延伸し、基板面１０ａからカバー１８に向かうにつれて光源１２の光軸ＡＸから離れる形状の反射面１６ａを有する。【選択図】図３
2019169271.tif 000002
【特許請求の範囲】
【請求項１】
光源が長手方向に配列されている基板と、
前記基板を接触保持し、前記基板の少なくとも前記光源が配列されている側の基板面を覆うカバーと、
前記基板面の上に設けられ、前記光源から照射された光を反射する反射部と、
を備え、
前記反射部は、前記光源の配列方向に沿って延伸し、前記基板面から前記カバーに向かうにつれて前記光源の光軸から離れる形状の反射面を有する、
照明器具。
【請求項２】
前記カバーは、透過材料で形成され、
前記反射部は、不透過材料で形成される、
請求項１に記載の照明器具。
【請求項３】
前記反射部は、前記光源の配列方向に沿って延伸する棒状部材である、請求項２に記載の照明器具。
【請求項４】
前記反射部は、前記カバーの内面の形状に合わせた形状を有する接触面を有する、請求項２又は３に記載の照明器具。
【請求項５】
前記基板は、電子部品を実装し、
前記反射部は、前記電子部品を収容する収容溝を有する、
請求項２乃至４のいずれか１項に記載の照明器具。
【請求項６】
前記カバーは、
透過材料で形成され、前記反射面で反射された光の透過領域に設けられる透過部と、
不透過材料で形成され、前記透過部を保持する保持部と、
を含み、
前記反射部は、前記保持部の一部である、
請求項１に記載の照明器具。
【発明の詳細な説明】
【技術分野】
【０００１】
本開示は、照明器具に関する。
【背景技術】
【０００２】
従来、複数のＬＥＤ（発光ダイオード）を実装したＬＥＤ基板を備え、全体として細長い形状の照明器具がある。特許文献１は、全体形状が筒形のカバー部材を有し、カバー部材の内部にＬＥＤ基板を保持する照明器具を開示している。このような照明器具では、カバー部材を長手方向に垂直な断面で見ると、半円部分の大半を占める領域が光射出面となる。したがって、照明器具全体についての断面方向の配光角は、１８０°に迫る程度の広いものとなる。
【先行技術文献】
【特許文献】
【０００３】
【特許文献１】特開２０１４−３２９７５号公報
【発明の概要】
【発明が解決しようとする課題】
【０００４】
しかし、特許文献１に開示されているような照明器具を用いる場合、用途によっては、配光角が広くなる配光特性が望ましくない場合もあり得る。
【０００５】
本開示は、このような従来技術の有する課題に鑑みてなされたものである。そして、本開示の目的は、配光角を狭めるのに有利な照明器具を提供することにある。
【課題を解決するための手段】
【０００６】
上記課題を解決するために、本開示の態様に係る照明器具は、光源が長手方向に配列されている基板と、基板を接触保持し、基板の少なくとも光源が配列されている側の基板面を覆うカバーと、基板面の上に設けられ、光源から照射された光を反射する反射部と、を備え、反射部は、光源の配列方向に沿って延伸し、基板面からカバーに向かうにつれて光源の光軸から離れる形状の反射面を有する。
【発明の効果】
【０００７】
本開示によれば、配光角を狭めるのに有利な照明器具を提供することができる。
【図面の簡単な説明】
【０００８】
【図１】本開示の実施形態に係る照明器具の外観を示す図である。
【図２】本開示の第１実施形態に係る照明器具の内部構成を示す図である。
【図３】図２のＩＩＩ−ＩＩＩ断面に対応した、照明器具の断面図である。
【図４】本開示の第２実施形態に係る照明器具の内部構成を示す図である。
【図５】図４のＶ−Ｖ断面に対応した、照明器具の断面図である。
【発明を実施するための形態】
【０００９】
以下、各実施形態について図面を参照しつつ詳細に説明する。以下の説明では、照明器具の照明方向、具体的には、光源の光射出面に対して垂直な方向をＺ方向と規定する。また、Ｚ方向に対して垂直となる平面内で、互いに垂直なＸ方向及びＹ方向を規定する。このうち、照明器具の長手方向をＸ方向と規定する。
【００１０】
（第１実施形態）
まず、第１実施形態に係る照明器具について説明する。図１は、第１実施形態に係る照明器具１００の外観を示す斜視図である。照明器具１００は、屋内外を問わず使用可能であり、光射出面が細長く、全体としても細長い形状の照明器具である。
【００１１】
照明器具１００は、外部から視認可能な構成として、ＬＥＤ基板等を内部に収容するカバー１８と、カバー１８の一端に嵌め込まれる第１蓋部２０と、カバー１８の他端に嵌め込まれる第２蓋部２２とを備える。
【００１２】
カバー１８は、例えば、樹脂等の透過材料から形成された直管状の部材である。カバー１８は、内部に設置されている光源から発せられた光を外部に透過可能である。つまり、カバー１８は、光射出面を含むものとして、照明器具１００の外観を構成する。なお、カバー１８の具体的形状、特に断面形状については、後述する。また、照明器具１００が屋外の構造体に設置される場合には、カバー１８は、内部に収容している照明器具１００の各構成要素を風雪等から保護する。
【００１３】
第１蓋部２０及び第２蓋部２２は、樹脂等の材料から形成され、カバー１８に対して取り付け及び取り外し自在である。一方の蓋部、例えば第１蓋部２０には、外部の電源に接続される電気配線２４が取り付けられる。電気配線２４の一端は、カバー１８又は第１蓋部２０の内部で、後述するＬＥＤ基板に接続される。
【００１４】
図２は、照明器具１００の内部構成を示す斜視図である。図２では、図１に示す照明器具１００の使用状態から、第１蓋部２０からカバー１８を長手方向に引き抜いた照明器具１００の分解状態を示している。また、図３は、図２中に示されるＩＩＩ−ＩＩＩ断面に対応した、照明器具１００の断面図である。照明器具１００は、カバー１８の内部に基板１０を備える。
【００１５】
基板１０は、照明器具１００の長手方向に合わせて延伸し、光源としての複数のＬＥＤ１２を基板１０の長手方向に沿って所定の間隔で実装したＬＥＤ基板である。以下、基板１０において、複数のＬＥＤ１２が配列されている側の面を基板面１０ａという。本実施形態では、複数のＬＥＤ１２は、基板面１０ａにおける長手方向とは垂直な幅方向の中央で、長手方向に沿って一列に配列されるものとする。ただし、複数のＬＥＤ１２は、長手方向に沿って並列に配列されているものとしてもよい。
【００１６】
また、基板１０は、ＬＥＤ１２の他に、各種の電子部品を実装してもよい。図２では、基板面１０ａ上に実装された、ブロック状の複数の第１電子部品１４を例示している。また、図３では、第１電子部品１４の他に、基板面１０ａとは反対側にある基板１０の裏面１０ｂ上に実装された、ブロック状の複数の第２電子部品１５を例示している。なお、本実施形態では、光源の一例としてＬＥＤを採用しているが、ＬＥＤ以外の発光素子を採用することも可能である。
【００１７】
ここで、基板１０の形状に合わせたカバー１８の断面形状について説明する。カバー１８の断面形状は、図３に示すように、円環形状とは異なる異形の環状である。カバー１８は、互いに連続する、拡散領域１８ａと、保持領域１８ｂとを含む。
【００１８】
拡散領域１８ａは、ＬＥＤ１２から照射された光がカバー１８の内面に向けて通過し得る空間を形成し、外部へ光を拡散させる領域である。拡散領域１８ａの断面形状は、光が外部へ拡散される側が湾曲した、いわゆるドーム形である。なお、カバー１８は、光の拡散性能を向上させるために、拡散領域１８ａに面する内面１８ｃに、長手方向に沿って段状に形成された複数の溝部１８ｄを有するものとしてもよい。
【００１９】
保持領域１８ｂは、基板１０を保持する領域である。保持領域１８ｂの断面形状は、直管状のカバー１８に対して基板１０を単に差し込むことで固定することが可能なように、基板１０を摩擦により保持可能な形状とする。そこで、保持領域１８ｂは、例えば、基板１０の幅方向の両側端部において、基板面１０ａに接触する第１突出部１８ｅを有する。一方、基板１０の裏面１０ｂは、第２電子部品１５を介して保持領域１８ｂに接触するものとしてもよい。又は、保持領域１８ｂは、裏面１０ｂに向けて突出する第２突出部１８ｆを有し、第２突出部１８ｆと裏面１０ｂとを接触させてもよい。このような構成によれば、カバー１８に差し込まれた後の基板１０は、第１突出部１８ｅと、第２電子部品１５又は第２突出部１８ｆとに挟まれることにより、カバー１８に安定的に接触保持される。
【００２０】
また、照明器具１００は、反射部１６を備える。反射部１６は、カバー１８の内部における基板面１０ａの上に設けられ、ＬＥＤ１２から照射された光を反射する。反射部１６は、ＬＥＤ１２の配列方向に沿って延伸する棒状部材である。本実施形態に係る照明器具１００には、ＬＥＤ１２の配列位置を基準として互いに対称な形状である２つの反射部１６が存在する。ここで、１つの反射部１６に着目すると、反射部１６は、それぞれＬＥＤ１２の配列方向に沿って延伸する、反射面１６ａと、接触面１６ｂとを含む。
【００２１】
反射面１６ａは、ＬＥＤ１２から照射された光を反射させる面である。反射面１６ａの断面形状は、基板面１０ａからカバー１８に向かうにつれて、ＬＥＤ１２の光軸ＡＸから離れる形状を有する。つまり、図３に示すように、２つの反射部１６にあるそれぞれの反射面１６ａを合わせた断面形状は、対向する反射面１６ａに向かう側、又は、カバー１８に向かう側に、ＬＥＤ１２から照射された光を反射させる形状となる。なお、図３では、ＬＥＤ１２から照射されて反射面１６ａで反射した光の光路の一例を破線で示している。例えば、反射面１６ａの具体的な断面形状は、図３に示すように、集光特性に合わせた曲線状とする。この場合、反射面１６ａは、曲面となる。ただし、反射面１６ａの具体的な断面形状は、曲線状に代えて、直線状であってもよい。この場合、反射面１６ａは、ＬＥＤ１２の光軸ＡＸに対して傾斜した平面となる。
【００２２】
反射部１６は、上記のようにＬＥＤ１２から照射された光を所望の方向に反射させるために、不透過材料で形成される。不透過材料としては、特に限定するものではないが、例えば、濁色の樹脂を採用し得る。また、反射面１６ａには、例えば鏡面仕上げなど、反射率を向上させるための処理が施されていてもよい。
【００２３】
接触面１６ｂは、カバー１８の内面１８ｃ又は基板面１０ａと接触し得る面である。つまり、反射部１６は、カバー１８の内部に設置されたときに、接触面１６ｂを介して、カバー１８の内面１８ｃ又は基板面１０ａに比較的密に接触するように、カバー１８の内面１８ｃ又は基板面１０ａの形状に合わせた形状を有する。ここで、反射部１６と、カバー１８の内面１８ｃ又は基板面１０ａとの接触面積を増加させるために、例えば、接触面１６ｂは、カバー１８に形成されている溝部１８ｄの形状に合わせた溝部１６ｃを有してもよい。また、接触面１６ｂは、基板面１０ａ上にある第１電子部品１４の断面形状に合わせて、第１電子部品１４を収容するための収容溝１６ｄを有してもよい。なお、収容溝１６ｄも、ＬＥＤ１２の配列方向に沿って延伸している。
【００２４】
次に、照明器具１００による作用及び効果について説明する。
【００２５】
本実施形態に係る照明器具１００は、光源が長手方向に配列されている基板１０と、基板１０を接触保持し、基板１０の少なくとも光源が配列されている側の基板面１０ａを覆うカバー１８とを備える。また、照明器具１００は、基板面１０ａの上に設けられ、光源から照射された光を反射する反射部１６を備える。反射部１６は、光源の配列方向に沿って延伸し、基板面１０ａからカバー１８に向かうにつれて光源の光軸ＡＸから離れる形状の反射面１６ａを有する。ここで、光源は、例えばＬＥＤ１２である。
【００２６】
照明器具１００は、上記のような反射部１６を備えるので、ＬＥＤ１２から照射された光は、カバー１８の内部で反射面１６ａにより集光され、カバー１８の光射出面が限定されて、外部に射出される。つまり、照明器具１００の配光角は、図３において破線で示すように、反射部１６の形状に合わせた第１配光角θ１となる。
【００２７】
ここで、カバー１８の内面には、反射部１６を用いる場合の光の透過領域よりも広い範囲に溝部１８ｄが形成されていてもよい。このとき、比較例として、照明器具１００が反射部１６を採用しない場合を考える。カバー１８や基板１０などのその他の構成要素に変更がないと想定すると、この場合の照明器具１００の配光角は、図３において二点鎖線で示すように、第１配光角θ１よりも広角である第２配光角θ２となる。つまり、本実施形態に係る照明器具１００の配光角は、反射部１６を採用しない場合に比べて狭くなる。
【００２８】
このように、照明器具１００によれば、配光角を狭めるのに有利となる。例えば、照明器具１００では、カバー１８の内部に反射部１６を設けることで配光角を狭めるので、カバー１８や基板１０は、既存のものでよい。したがって、例えば、製作コストを抑えることができる。
【００２９】
また、照明器具１００では、カバー１８は、透過材料で形成され、反射部１６は、不透過材料で形成されているものとしてもよい。
【００３０】
このような照明器具１００によれば、特に、反射部１６が不透過材料で形成されているので、反射部１６自体が光の反射特性を有する。したがって、反射部１６は、更に別体で反射部材等を備える必要がなく、一個体のみの構成となるので、反射部１６の形状及び構成がより簡易的となり、製作が容易となる。
【００３１】
また、照明器具１００では、反射部１６は、光源の配列方向に沿って延伸する棒状部材であるものとしてもよい。
【００３２】
このような照明器具１００によれば、作業者は、図２に示すように、反射部１６を基板面１０ａ上でスライドさせることで、反射部１６を容易にカバー１８の内部に取り付けることができ、かつ、容易にカバー１８の内部から取り外すことができる。なお、棒状部材である反射部１６は、照明器具１００の長手方向の全長に対して、同一長さの単一部材であってもよいし、複数に分割された部材であってもよい。
【００３３】
また、反射部１６は、このようにカバー１８に対して取り付け及び取り外し容易な形状を有するので、例えば、配光角を第２配光角θ２のように広角にしたい場合には、照明器具１００から反射部１６を取り外すことで、容易に用途変更に対応することができる。又は、それぞれ反射面１６ａの形状の異なる反射部１６の組を複数準備しておき、反射部１６を適宜交換することで、配光角θ１の大きさを容易に調整することができる。
【００３４】
また、照明器具１００では、反射部１６は、カバー１８の内面１８ｃの形状に合わせた形状を有する接触面１６ｂを有するものとしてもよい。
【００３５】
このような照明器具１００によれば、反射部１６は、カバー１８の内部に比較的密に設置されることになるので、例えば、反射面１６ａ以外の反射部１６の側面と、カバー１８の内面との間において、光の乱反射が生じづらくなる。したがって、外観上、明暗が明確となり、より精度よく配光角を規定することができる。
【００３６】
また、照明器具１００では、基板１０は、電子部品を実装し、反射部１６は、電子部品を収容する収容溝１６ｄを有するものとしてもよい。ここで、電子部品とは、例えば、基板面１０ａ上に実装されている第１電子部品１４をいう。
【００３７】
このような照明器具１００によれば、反射部１６は、基板１０に実装されている電子部品を避けてカバー１８の内部に設置されるので、カバー１８の内部に、より密に設置されることになる。また、反射部１６がカバー１８の内部に設置されているときには、収容溝１６ｄの一部に電子部品が係合している状態となるので、カバー１８の内部における反射部１６の位置ずれを抑制することができる。
【００３８】
（第２実施形態）
次に、第２実施形態に係る照明器具について説明する。第１実施形態に係る照明器具１００では、カバー１８と反射部１６とが別部材である。これに対して、本実施形態に係る照明器具では、カバーの一部が反射部となる。
【００３９】
図４は、本実施形態に係る照明器具２００の内部構成を示す斜視図である。図４は、第１実施形態に関する図２に対応した照明器具２００の分解状態を示している。また、図５は、図４中に示されるＶ−Ｖ断面に対応した、照明器具２００の断面図である。照明器具２００は、第１実施形態におけるカバー１８に代えて、第２カバー２８を備える。なお、本実施形態において、ＬＥＤ１２が配列されている基板１０は、第１実施形態におけるものと同様であるため、以下、同一の符号を付し、説明を省略する。
【００４０】
第２カバー２８の全体形状は、第１実施形態におけるカバー１８と同様である。これに対して、第２カバー２８は、一体であるカバー１８とは異なり、互いに別部材である、透過部３０と、保持部３２とを備える。
【００４１】
透過部３０は、透過材料で形成され、後述する保持部３２に形成されている反射部３２ｃで反射された光の透過領域に設けられる。ここで、透過部３０を形成する透過材料としては、例えば樹脂を用いることができ、カバー１８を形成する透過材料と同様のものでもよい。透過部３０の形状は、カバー１８における光の透過領域に相当する形状と同様である。つまり、透過部３０は、内面に、カバー１８が有する溝部１８ｄに相当する溝部３０ａを有してもよい。
【００４２】
保持部３２は、不透過材料で形成され、透過部３０を保持する。ここで、保持部３２を形成する不透過材料としては、例えば濁色の樹脂を用いることができ、第１実施形態における反射部１６を形成する不透過材料と同様のものでもよい。なお、保持部３２は、透過部３０の長手方向の両端部を接着等により保持することができる。
【００４３】
保持部３２は、透過部３０に相当する部分を除いて、カバー１８と同様に、互いに連続する、拡散領域３２ａと、保持領域３２ｂとを含む。
【００４４】
拡散領域３２ａは、第１実施形態における反射面１６ａに相当する反射面３２ｇを有する反射部３２ｃを含む。つまり、本実施形態における反射部３２ｃは、保持部３２の一部である。なお、反射面３２ｇを有する部分の形状は、第１実施形態における反射部１６のように中実部としてもよいが、図４及び図５に示す例では、中空部としている。具体的には、拡散領域３２ａは、それぞれ、ＬＥＤ１２の配列方向に沿って延伸する板体である、反射部３２ｃと、収容部３２ｆとを含む。収容部３２ｆは、第１実施形態における収容溝１６ｄに相当する。拡散領域３２ａの断面形状は、反射部３２ｃ、収容部３２ｆ、及び、保持領域３２ｂに含まれる第１突出部３２ｄが連続して、その内部を中空としている。
【００４５】
保持領域３２ｂは、第１実施形態における保持領域１８ｂと同様に、第１突出部３２ｄと、第２突出部３２ｅとを含む。つまり、第１突出部３２ｄは、第１実施形態における第１突出部１８ｅに相当する。第２突出部３２ｅは、第１実施形態における第２突出部１８ｆに相当する。
【００４６】
このような照明器具２００によれば、反射部１６に代わる反射部３２ｃを備えるので、第１実施形態に係る照明器具１００と同様に、配光角を狭めるのに有利となる。また、本実施形態によれば、第２カバー２８に含まれる保持部３２の中空部の一部として反射部３２ｃが形成されているので、照明器具１００よりも軽量化が実現できる。
【００４７】
なお、上記の各実施形態では、２つの反射面１６ａ等が、それぞれ、ＬＥＤ１２の配列位置を基準として互いに対称な形状であるものとした。しかし、本開示の照明器具では、２つの反射面１６ａ等の形状をこれらに限定するものではない。例えば、所望の配光分布を得るために、光軸ＡＸと一方の反射面１６ａ等との間の配光角と、光軸ＡＸと他方の反射面１６ａ等との間の配光角とが異なるように、２つの反射面１６ａ等の形状を、ＬＥＤ１２の配列位置を基準として互いに非対称としてもよい。
【００４８】
以上、好ましい実施形態について説明したが、本実施形態は、これ限定されず、その要旨の範囲内で種々の変形及び変更が可能である。
【符号の説明】
【００４９】
１０    基板
１０ａ  基板面
１２    ＬＥＤ（光源）
１４    第１電子部品
１６，３２ｃ    反射部
１６ａ，３２ｇ  反射面
１６ｂ  接触面
１６ｄ  収容溝
１８    カバー
１８ｃ  内面
２８    第２カバー
３０    透過部
３２    保持部
１００，２００  照明器具
ＡＸ    光軸
【図１】
2019169271.tif 000003
【図２】
2019169271.tif 000004
【図３】
2019169271.tif 000005
【図４】
2019169271.tif 000006
【図５】
2019169271.tif 000007